(57)【要約】【課題】運搬時における接続部材の損傷を抑制することができるガス回収容器を提供する。【解決手段】ガス回収容器１０は、接続部材３０、閉止プラグ３８、及び保持部材４０を有している。接続部材３０は、容器本体１２の外面に沿う収納位置Ｐ１と収納位置Ｐ１に配置されているときよりも接続開口３６が容器本体１２の外面から離れる使用位置Ｐ２とに移動可能とされている。閉止プラグ３８は、接続開口３６に挿入されて接続開口３６を閉止する。保持部材４０は、閉止プラグ３８に取付けられたプラグ取付部４６と、容器本体１２の引掛部２０に取付けられた本体取付部４２と、伸縮可能な連結部４４と、を有している。閉止プラグ３８は、保持部材４０に取り付けられている。保持部材４０は、閉止プラグ３８が接続開口３６に挿入された状態で、閉止プラグ３８を介して収納位置Ｐ１に保持する。【選択図】図３
2019105316.tif 000002
【特許請求の範囲】
【請求項１】
容器本体と、
前記容器本体の内部と連通する連通路が形成され、前記容器本体から突出するように立設形成された立設部と、前記立設部の先端から屈曲して延出し、前記連通路と他部材との接続開口が形成された延出部とを有し、前記延出部が前記容器本体の外面に沿った収納位置と前記収納位置に配置されているときよりも前記接続開口が前記容器本体の外面から離れる使用位置とに移動可能とされ、前記連通路を開閉可能なバルブを有する接続部材と、
前記接続開口に挿入されて前記接続開口を閉止する閉止キャップと、
前記閉止キャップに取付けられたプラグ取付部と、前記容器本体に取付けられた本体取付部と、前記プラグ取付部と前記本体取付部とを連結する連結部と、を有し、前記閉止キャップが前記接続開口に挿入された状態で、前記閉止キャップを介して前記接続部材を前記収納位置に保持する保持部材と、
を備えたガス回収容器。
【請求項２】
前記容器本体は、円筒状の側面部、及び前記側面部の上端から連続して径方向内側へ延出し前記側面部の開口を縮径する肩部と、を有し、
前記立設部は前記肩部に形成され、前記接続部材は前記立設部を中心に回転して前記収納位置と前記使用位置との間を移動可能とされている、請求項１に記載のガス回収容器。
【請求項３】
前記接続部材は、前記収納位置に配置された状態で、平面視において前記側面部よりも径方向内側に配置されている、請求項２に記載のガス回収容器。
【請求項４】
前記連結部は弾性変形により伸縮可能とされ、前記接続部材は前記使用位置に配置された状態で前記接続開口に前記閉止キャップが挿入されると、伸長した前記連結部の復元力による短縮で前記収納位置に配置される、請求項１〜３のいずれか１項に記載のガス回収容器。
【請求項５】
前記容器本体の外面には取付孔が形成された引掛部が形成され、前記本体取付部は紐状とされ前記取付孔に挿入されて前記引掛部に取付けられる、請求項１〜請求項４のいずれか１項に記載のガス回収容器。
【請求項６】
前記閉止キャップは、前記接続開口に挿入される挿入円柱部、及び、前記挿入円柱部よりも大径で前記挿入円柱部の一端に形成されたフランジ部を有し、
前記プラグ取付部は、内径が前記フランジ部よりも小径の環状とされ前記挿入円柱部が挿入された状態で前記閉止キャップに取付けられている、請求項１〜請求項５のいずれか１項に記載のガス回収容器。
【発明の詳細な説明】
【技術分野】
【０００１】
本発明は、ガス回収容器に関する。
【背景技術】
【０００２】
需要家で使用されるガスは、ガス配管及びガスメーターを介して各需要家に供給されている。また、ガスメーターは、計量法により、一定期間毎に交換することが義務付けられている。取り替えられた新しいガスメーター内には空気が残留している。そのため、ガスメーターの取り替え後には、ガスメーター内に残留した空気（以下、「残留空気」という。）をパージする作業（以下、「パージ作業」という。）を行う。
【０００３】
近年、パージ作業を行う場合、ガスメーターのガス出管に設けた、チーズのガス放出口に導管を介してガス回収容器を接続し、パージされた残留空気及びパージ作業に伴って放出されるガスをガス回収容器内に回収することが行われている。特許文献１には、プラスチック容器の内部に活性炭が充填され、プラスチック容器にガス入出力バルブが接続された回収用のガス吸着容器が開示されている。
【先行技術文献】
【特許文献】
【０００４】
【特許文献１】特開２００４−３４６９８６号公報
【発明の概要】
【発明が解決しようとする課題】
【０００５】
このようなガス回収容器は、作業時の操作性を考慮して、ガス入出力用の接続部材が可動式となっている場合がある。その場合、ガス回収容器を運搬する際に、接続部材が不用意に突出し、破損したり折損したりすることがある。
【０００６】
本発明は上記問題点を解決するためになされたものであり、運搬時における接続部材の損傷を抑制することができるガス回収容器を提供することを目的とする。
【課題を解決するための手段】
【０００７】
上記目的を達成するために、第１の発明のガス回収容器は、容器本体と、前記容器本体の内部と連通する連通路が形成され、前記容器本体から突出するように立設形成された立設部と、前記立設部の先端から屈曲して延出し、前記連通路と他部材との接続開口が形成された延出部とを有し、前記延出部が前記容器本体の外面に沿った収納位置と前記収納位置に配置されているときよりも前記接続開口が前記容器本体の外面から離れる使用位置とに移動可能とされ、前記連通路を開閉可能なバルブを有する接続部材と、前記接続開口に挿入されて前記接続開口を閉止する閉止キャップと、前記閉止キャップに取付けられたキャップ取付部と、前記容器本体に取付けられた本体取付部と、前記キャップ取付部と前記本体取付部とを連結する連結部と、を有し、前記閉止キャップが前記接続開口に挿入された状態で、前記閉止キャップを介して前記接続部材を前記収納位置に保持する保持部材と、を備えている。
【０００８】
第１の発明のガス回収容器は、容器本体の内部と連通する連通路が形成され、連通路を開閉可能とされたバルブを有する接続部材を備えている。接続部材は、容器本体から突出するように立設形成された立設部と、立設部の先端から屈曲して延出し連通路が他部材と接続される接続開口が形成された延出部を有している。接続部材は、延出部が容器本体の外面に沿って配置される収納位置と、この収納位置に配置されているときよりも接続開口が前記容器本体の外面から離れる使用位置とに移動可能とされている。
【０００９】
ガス回収時には、接続部材を使用位置に配置して接続開口と他部材、例えば接続管とを接続する。使用位置では、収納位置に配置されているときよりも接続開口が容器本体の外面から離れているので、作業性が向上する。
【００１０】
ガス回収の作業を行わないときには、閉止キャップを接続開口に挿入することにより、不用意に接続部材の連通路が開放された場合でも、容器本体内への空気の流入を防止することができる。
【００１１】
また、接続開口に閉止キャップが挿入された状態で、接続部材は、閉止キャップを介して保持部材によって収納位置に保持されるので、運搬時における接続部材の損傷を抑制することができる。
【００１２】
さらに、ガス回収の作業中、閉止キャップは接続開口から取り外されるが、保持部材のキャップ取付部に取付けられているので、容器本体から離脱することがなく、ガス回収作業中における閉止キャップの紛失を防止することができる。
【００１３】
第２の発明のガス回収容器は、前記容器本体は、円筒状の側面部、及び前記側面部の上端から連続して径方向内側へ延出し前記側面部の開口を縮径する肩部と、を有し、前記立設部は前記肩部に形成され、前記接続部材は前記立設部を中心に回転して前記収納位置と前記使用位置との間を移動可能とされている。
【００１４】
第２の発明のガス回収容器は、接続部材の立設部が、容器本体の肩部に形成されているので、立設部を中心に接続部材を回転させることにより、接続開口を容易に使用位置に配置することができる。
【００１５】
第３の発明のガス回収容器は、前記接続部材は、前記収納位置に配置された状態で、平面視において前記側面部よりも径方向内側に配置されている。
【００１６】
第３の発明のガス回収容器によれば、収納位置に配置された延出部が側面部よりも径方向内側に配置されているので、運搬時に障害物等と接続部材との干渉が抑制され、接続部材の損傷が抑制される。
【００１７】
第４の発明のガス回収容器は、前記連結部は弾性変形により伸縮可能とされ、前記接続部材は前記使用位置に配置された状態で前記閉止キャップが前記接続開口に挿入されると、伸長した前記連結部の復元力による短縮で前記収納位置に配置されるものである。
【００１８】
第４の発明のガス回収容器では、接続部材が使用位置に配置された状態で接続開口に閉止キャップが挿入されるとき、連結部は弾性変形して伸長状態となっている。連結部は復元力により短縮すると、閉止キャップと共に移動して、自動的に接続部材が収納位置に配置される。これにより、手作業で接続部材を収納位置に配置する必要がなく、ガス回収後の作業終了時における収納の手間が少なくなり、利便性が向上する。
【００１９】
第５の発明のガス回収容器は、前記容器本体の外面には取付孔が形成された引掛部が形成され、前記本体取付部は紐状とされ前記取付孔に挿入されて前記引掛部に取付けられるものである。
【００２０】
第５の発明のガス回収容器によれば、紐状の本体取付部を用いて、簡易に保持部材を容器本体に取付けることができる。
【００２１】
第６の発明のガス回収容器は、前記閉止キャップは、前記接続開口に挿入される挿入円柱部、及び、前記挿入円柱部よりも大径で前記挿入円柱部の一端に形成されたフランジ部を有し、前記キャップ取付部は、内径が前記フランジ部よりも小径の環状とされ前記挿入円柱部が挿入された状態で前記閉止キャップに取付けられている。
【００２２】
第６の発明のガス回収容器によれば、簡易な構成で閉止キャップをキャップ取付部に取付けることができる。
【発明の効果】
【００２３】
本発明のガス回収容器によれば、運搬時における接続部材の損傷を抑制することができる。
【図面の簡単な説明】
【００２４】
【図１】本実施形態での作業対象となるガスメーターの構成の一例を示す正面図である。
【図２】本実施形態に係るガス回収容器の側面図である。
【図３】本実施形態に係るガス回収容器の未使用時における平面図である。
【図４】本実施形態の保持部材及び閉止キャップの側面図である。
【図５】本実施形態に係るガス回収容器の使用時における平面図である。
【図６】本実施形態に係るガス回収容器の使用終了時において閉止キャップを取付けた直後の状態を示す平面図である。
【発明を実施するための形態】
【００２５】
以下、図面を参照して、本発明を実施するための形態例を詳細に説明する。
【００２６】
本実施形態のガス回収容器１０は、一例として、図１に示されるガスメーターＧＭの交換作業時に使用される。ガスメーターＧＭには、入管Ｇ１２及び出管Ｇ１４が接続されている。入管Ｇ１２にはメーターコックＧ１６が設けられ、出管Ｇ１４にはチーズＧ１８が設けられている。また、チーズＧ１８のガス放出口Ｇ１８Ａには、プラグＧ１８Ｂが取り付けられている。ガスメーターＧＭの交換作業については、後述する。
【００２７】
図２に示されるように、本実施形態のガス回収容器１０は、合成樹脂及び金属等を含む容器本体１２を備えている。容器本体１２は、底部１３、側面部１４、肩部１６、及び口部１８を有している。底部１３は円形状とされ、容器本体１２の底面を構成している。側面部１４は、底部１３から連続して形成された円筒状とされている。肩部１６は、側面部１４の上端から連続して径方向内側へ延出し、側面部１４の開口を縮径している。口部１８は、肩部１６の内端から連続して上側へ延出された円筒状とされている。口部１８の外周には、雄ネジ（不図示）が形成されており、口部１８にはキャップ１９が螺合されている。容器本体１２は、口部１８がキャップ１９によって封止されており、内部が密閉状態とされている。
【００２８】
容器本体１２の内部には、活性炭等の吸着剤（不図示）が収容されている。回収したガスは、吸着剤に吸着される。ガス回収の作業開始前には、容器本体１２の内部は、真空レベル（例えば、絶対圧として０〜０．０９５ＭＰａ程度）まで減圧されている。
【００２９】
容器本体１２の肩部１６には、一対の引掛部２０が設けられている。引掛部２０は、側面視で略半円形の板状とされ、中央に取付孔２２が形成されている。引掛部２０は、口部１８を挟んで両側に１個ずつ設けられている。各々の引掛部２０には、運搬時に持ち手となる２本のバンド部材２４が取付けられている。各々のバンド部材２４は、取付孔２２に挿入され、先端に取付孔２２の径よりも長い細棒２６が固定されており、細棒２６により取付孔２２からの抜けが阻止されている。なお、引掛部２０には、後述する保持部材４０の本体取付部４２も取付けられる。
【００３０】
容器本体１２の肩部１６には、接続部材３０が設けられている。図３に示されるように、接続部材３０は、平面視において、容器本体１２の中心に対して点対称の位置に一対配置されている。一対の接続部材３０の構成は同一である。
【００３１】
接続部材３０は、立設部３２及び延出部３４を有している。立設部３２は、肩部１６から立ち上がるように設けられ、肩部１６に固定された基部３２Ａと、基部３２Ａ上に基部３２Ａと同軸に取付けられた管状の回転部３２Ｂとを有している。回転部３２Ｂは、基部３２Ａに対して管軸周りに回転可能に取付けられている。基部３２Ａ及び回転部３２Ｂには、容器本体１２内と連通する流路３１Ａが形成されている。
【００３２】
延出部３４は、屈曲部３４Ａ、及びバルブ部３４Ｂを有している。屈曲部３４Ａは、回転部３２Ｂと一体的に形成され、回転部３２Ｂの上端から９０°屈曲した管状とされ、内部に流路３１Ｂが形成されている。バルブ部３４Ｂは、屈曲部３４Ａの先端から同軸的に延出された管状とされ、内部に流路３１Ｃが形成されている。バルブ部３４Ｂの先端には、流路３１Ｃの開口端である接続開口３６が形成されている。流路３１Ａ、流路３１Ｂ、及び流路３１Ｃにより、容器本体１２の内外を連通させる、連続した連通路３１が形成されている。バルブ部３４Ｂには、開閉バルブ３５が設けられている。開閉バルブ３５により連通路３１の開閉が可能とされている。
【００３３】
接続部材３０の延出部３４は、回転部３２Ｂが管軸周りに回転することにより、接続開口３６が円弧を描きながら立設部３２と連動して回転する。接続部材３０の延出部３４が肩部１６に沿って配置される位置を、接続部材３０の収納位置Ｐ１とする（図２、３参照）。この収納位置Ｐ１では、接続開口３６は、平面視において側面部１４よりも径方向内側に配置されている。また、収納位置Ｐ１に配置されているときよりも接続開口３６が肩部１６の外面から離れる位置、例えば、本実施形態では、図３に２点鎖線で示されるように、収納位置Ｐ１から９０°回転した位置を接続部材３０の使用位置Ｐ２とする。使用位置Ｐ２では、接続開口３６は、平面視において側面部１４よりも径方向外側に配置されている。
【００３４】
接続開口３６には、不使用時に閉止プラグ３８が取付けられている。図４に示されるように、閉止プラグ３８は、円柱状の挿入円柱部３８Ａ、及び、挿入円柱部３８Ａよりも大径で挿入円柱部３８Ａの一端に形成されたフランジ部３８Ｂを有している。挿入円柱部３８Ａの一部が、接続開口３６に挿入されて、接続開口３６を閉止する。これにより、不使用時に不用意に開閉バルブ３５が開放されてしまった場合にも、容器本体１２内への空気の流入を防止することができる。閉止プラグ３８は、保持部材４０により容器本体１２に取り付けられている。
【００３５】
図４に示されるように、保持部材４０は、本体取付部４２、連結部４４、及びプラグ取付部４６を有している。本体取付部４２は、円形環４２Ａ、円形環４２Ａと一体的に形成された紐固定部４２Ｂ、及び、長尺の紐４２Ｃを有している。紐４２Ｃの両端は、紐固定部４２Ｂに固定され、紐４２Ｃは環状となっている。紐４２Ｃは、環状の一部を引掛部２０の取付孔２２に挿通させ、引掛部２０に挿通させない部分を紐４２Ｃの挿通部分にくぐらせて、引掛部２０に取付けられる。
【００３６】
連結部４４は、スプリング部４４Ａ、及び、スプリング部４４Ａの一端に形成されたリング部４４Ｂを有している。また、スプリング部４４Ａの他端には、プラグ取付部４６が形成されている。スプリング部４４Ａは、細長の樹脂部材が螺旋状に巻回された、所謂カールコード状とされており、伸縮可能とされている。スプリング部４４Ａに力が作用していない状態では、隣り合う巻回し部分同士が密着して短縮された状態となっている。一方、スプリング部４４Ａは、引張力を作用させることにより隣り合う巻回し部分同士が離れて伸張された状態となる。この伸張された状態では、スプリング部４４Ａに、短縮状態へ復元しようとする復元力が働く。当該スプリング部４４Ａの復元力が、スプリング部４４Ａに作用する引張力よりも大きくなると、スプリング部４４Ａは引張力に抗して短縮される。本実施形態では、スプリング部４４Ａの復元力は、接続部材３０を回転させるために要する力よりも大きくなるように設定されている。
【００３７】
リング部４４Ｂは、スプリング部４４Ａと一体的に形成されて一端延出された細長の樹脂部材が折り返され、止具４４Ｄにより係止されてリング状に形成され、円形環４２Ａと連結されている。プラグ取付部４６は、スプリング部４４Ａと一体的に形成されて他端から延出された細長の樹脂部材が折り返され、止具４４Ｅにより係止されてリング状に形成されている。プラグ取付部４６の内径は、閉止プラグ３８のフランジ部３８Ｂよりも小径とされている。閉止プラグ３８は、挿入円柱部３８Ａがプラグ取付部４６に挿入されることにより、摩擦力で保持部材４０の一端に保持される。
【００３８】
肩部１６には、排出用接続部２８が形成されている。排出用接続部２８には、内部に容器本体１２と連通する流路（不図示）が形成されており、回収したガスを容器本体１２から排出させる際に用いる。
【００３９】
次に、ガス回収容器１０の使用について説明する。
【００４０】
使用前のガス回収容器１０は、図３に示されるように、接続部材３０が収納位置Ｐ１に配置され、閉止プラグ３８が接続開口３６に挿入され、開閉バルブ３５が閉鎖されている。
【００４１】
まず、作業員は、メーターコックＧ１６を閉めた後、既設のガスメーターＧＭを入管Ｇ１２及び出管Ｇ１４から取り外す。そして、新しいガスメーターＧＭを入管Ｇ１２及び出管Ｇ１４に対して接続する。なお、取り外したガスメーターＧＭについては、ガスの流入口及び流出口に各々キャップを装着し、作業終了後に持ち帰る。
【００４２】
次に、新しいガスメーターＧＭを入管Ｇ１２及び出管Ｇ１４に取り付けた後、チーズＧ１８からプラグＧ１８Ｂを取り外し、ガス放出口Ｇ１８Ａに対して接続管５０の一端側の第１アダプタ５２を接続する。接続管５０には、ガス遮断制御装置ＧＣが接続されている。また、ガス回収容器１０の２つの接続部材３０について、閉止プラグ３８を接続開口３６から取り外し、接続部材３０を収納位置Ｐ１から使用位置Ｐ２へ回転移動させる。一方の接続部材３０の接続開口３６には、接続管５０の他端側の第２アダプタ５４を取り付ける（図５参照）。これにより、出管Ｇ１４とガス回収容器１０とがガス遮断制御装置ＧＣを介して接続される。また、他方の接続部材３０の接続開口３６には、ホース５６を介して圧力計５８を取り付ける。圧力計５８を取り付けた後、圧力計５８に接続した方の接続部材３０の開閉バルブ３５を開放する。
【００４３】
作業員は、メーターコックＧ１６を開放すると共に、接続管５０を接続した方の接続部材３０の開閉バルブ３５を開放する。これにより、入管１２から新しいガスメーターＧＭに供給ガスが流入し、ガスメーターＧＭ内の残留空気が供給ガスで押し出され、ガス遮断制御装置ＧＣを介してガス回収容器１０に回収され始める。ガス遮断制御装置ＧＣにおいて、新しいガスメーターＧＭ内の空気が確実にパージされ、供給ガス（例えば、都市ガスやプロパンガス等）に置換されていると判断された後、作業員は、２つの接続部材３０の開閉バルブ３５を閉鎖すると共に、メーターコックＧ１６を閉鎖する。
【００４４】
次に、作業員は、第１アダプタ５２をガス放出口Ｇ１８Ａから取り外し、プラグＧ１８Ｂを取り付けてガス放出口Ｇ１８Ａを閉鎖する。その後、メーターコックＧ１６を開放する。また、第２アダプタ５４を接続開口３６から取り外し、保持部材４０の連結部４４を伸張させつつ、閉止プラグ３８を接続開口３６へ挿入する（図６参照）。これにより、接続開口３６は閉鎖される。また、保持部材４０の連結部４４が復元力により伸張状態から短縮することで、接続部材３０は、使用位置Ｐ２から収納位置Ｐ１へ回転移動する（図３参照）。圧力計５８が取付けられた方の接続部材３０についても、同様に、ホース５６を接続開口３６から取り外し、保持部材４０の連結部４４を伸張させつつ、閉止プラグ３８を接続開口３６へ挿入する。これにより、接続開口３６は閉鎖される。また、保持部材４０の連結部４４が復元力により伸張状態から短縮することで、接続部材３０は、使用位置Ｐ２から収納位置Ｐ１へ回転移動する（図３参照）。
【００４５】
本実施の形態のガス回収容器１０は、接続部材３０を回転させて使用位置Ｐ２に配置して、接続開口３６を第２アダプタ５４と接続するので、接続部材３０が収納位置Ｐ１に配置されているときよりも接続の作業性が向上する。
【００４６】
ガス回収の作業を行わないときには、閉止プラグ３８を接続開口３６に挿入することにより、不用意に開閉バルブ３５が開放された場合でも、容器本体１２内への空気の流入を防止することができる。
【００４７】
また、接続開口３６に閉止プラグ３８が挿入された状態で、接続部材３０は、閉止プラグ３８を介して保持部材４０によって収納位置Ｐ１に保持されるので、運搬時において、不用意に接続部材３０が回転して他のガス回収容器１０や運搬用の他部材に接触して損傷することを抑制することができる。さらに収納位置Ｐ１に配置された状態で、接続部材３０は、平面視において側面部１４よりも径方向内側に配置されているので、運搬時における接続部材３０の損傷をより抑制することができる。
【００４８】
さらに、ガス回収の作業中、閉止プラグ３８は接続開口３６から取り外されるが、保持部材４０のプラグ取付部４６に取付けられているので、容器本体１２から離脱することがなく、ガス回収作業中における閉止プラグ３８の紛失を防止することができる。
【００４９】
また、接続部材３０が使用位置Ｐ２に配置された状態で接続開口３６に閉止プラグ３８を挿入すると、連結部４４が復元力により短縮して、自動的に接続部材３０が収納位置Ｐ１に配置される。したがって、手作業で接続部材３０を収納位置Ｐ１に配置する必要がなく、ガス回収後の作業終了時における、収納の手間が少なくなり、利便性が向上する。
【００５０】
また、容器本体１２の外面には、取付孔２２が形成された引掛部２０が設けられているので、保持部材４０の紐状の本体取付部４２により、保持部材４０を容易に容器本体１２に取付けることができる。また、保持部材４０の構成も簡易にすることができる。
【００５１】
また、閉止プラグ３８は、挿入円柱部３８Ａ、及び、挿入円柱部３８Ａよりも大径で挿入円柱部３８Ａの一端に形成されたフランジ部３８Ｂを有している。したがって、プラグ取付部４６の内径をフランジ部３８Ｂよりも小径とすることにより、挿入円柱部３８Ａをプラグ取付部４６に挿入することにより、容易に保持部材４０へ取り付けることができると共に、保持部材４０の構成も簡易にすることができる。
【００５２】
以上、本発明の実施形態を説明したが、本発明の技術的範囲は上記実施形態に記載の範囲には限定されない。発明の要旨を逸脱しない範囲で上記各実施の形態に多様な変更又は改良を加えることができ、該変更又は改良を加えた形態も本発明の技術的範囲に含まれる。
【００５３】
例えば、保持部材４０の連結部４４は、弾性変形可能なゴムや金属のスプリングで形成することもできる。また、連結部４４は、必ずしも弾性変形可能でなくてもよく、手動で収納位置Ｐ１に移動させた接続部材３０の接続開口３６に、閉止プラグ３８を挿入してもよい。
【００５４】
また、本実施形態では、接続部材３０を容器本体１２の肩部１６に２個（一対）形成したが、１個のみでも、３個以上形成してもよい。
【００５５】
また、本実施形態では、ガス回収容器１０をガスメーターＧＭの交換時に用いる場合について説明したが、本発明はこれに限定されるものではない。例えば、ガスメーターＧＭの新設時に用いる形態としてもよいし、入管Ｇ１２、出管Ｇ１４、及び地中に埋設された埋設管等の他の部材の交換時、及び新設時に用いてもよい。
【符号の説明】
【００５６】
１０   ガス回収容器、  １２ 容器本体、    １４   側面部、    １６  肩部
２０   引掛部、  ３０  接続部材、  ３１   連通路、  ３２  立設部、  ３４  延出部
３５   開閉バルブ、  ３６   接続開口
３８  閉止プラグ（閉止キャップ）、  ３８Ａ       挿入円柱部、  ３８Ｂ フランジ部
４０   保持部材、    ４２   本体取付部、    ４４  連結部、
４６  プラグ取付部（キャップ取付部）
Ｐ１   収納位置、    Ｐ２   使用位置
【図１】
2019105316.tif 000003
【図２】
2019105316.tif 000004
【図３】
2019105316.tif 000005
【図４】
2019105316.tif 000006
【図５】
2019105316.tif 000007
【図６】
2019105316.tif 000008